(57)【要約】【課題】印刷物のインキを構成する樹脂の赤外スペクトル中の吸収ピークの波数を秘匿情報として有効活用する。【解決手段】基材（１）上に、文字Ｅ（３）をアルキド樹脂を含むインキにより、文字Ｘ（４）をアクリレート樹脂を含むインキにより、夫々印刷した印刷物であり、前記印刷物を赤外分析法の一つである顕微正反射法により文字Ｅ（３）と文字Ｘ（４）の印刷部の正反射の赤外吸収スペクトルから、それぞれの樹脂の特性吸収ピーク強度でマッピング測定し、文字を画像として表す。前記得られる画像は夫々固有で、且つ、異なるので、これを秘匿偽造防止情報として利用する。前記ピークの位置及び強度が異なる樹脂を２つ以上組み合わせることにより、偽造防止効果が向上する。【選択図】　図１
2004009694.tif 000002
【特許請求の範囲】
【請求項１】
基材上に、複数のインキに各々含有する樹脂の種類が異なり、前記樹脂の赤外吸収スペクトルの特性吸収ピーク波数も互いに異なる、前記複数のインキを組み合わせて印刷した印刷物であって、前記印刷物は、赤外分析法における非破壊及び非接触検査法である顕微正反射法により識別可能な、前記樹脂の赤外吸収スペクトル中の特性吸収ピーク波数における特性ピーク強度の違いによる、複数の目視不能な秘匿パターンからなる情報を有することを特徴とする秘匿情報を付与した印刷物。
【請求項２】
前記複数のインキは、目視で同一色に見える同色インキであることを特徴とする請求項１記載の秘匿情報を付与した印刷物。
【請求項３】
前記印刷物が、銀行券、株券又は債権の有価証券類、各種証明書類、パスポート又はカードであることを特徴とする請求項１又は２に記載の秘匿情報を付与した印刷物。
【請求項４】
前記インキに含有する樹脂の種類は、アルキド樹脂、アクリレート樹脂、アクリル樹脂、スチレン樹脂、ビニル樹脂、アミノ樹脂、フェノール樹脂、ウレタン樹脂、ポリエステル樹脂、エポキシ樹脂、メラミン樹脂、フッ素系樹脂、シリコーン系樹脂、若しくはこれらの樹脂の共重合体、又はこれらの樹脂の混合物であることを特徴とする請求項１、２又は３に記載の秘匿情報を付与した印刷物。
【請求項５】
請求項１、２、３又は４に記載の秘匿情報を付与した印刷物の識別方法であって、
前記秘匿情報を付与した印刷物を、赤外分析法における非破壊及び非接触検査法である顕微正反射法により測定し、得られた赤外吸収スペクトルから前記印刷物のインキ中の樹脂の特性吸収ピークの波数を識別し、これら樹脂の特性吸収ピークの波数における特性ピーク強度を印刷物上でマッピングを行うことにより、目視不能な秘匿パターンを画像として識別し、前記画像の組み合わせによる情報により、前記印刷物の真偽判別を行うことを特徴とする秘匿情報を付与した印刷物の識別方法。
【発明の詳細な説明】
【０００１】
【発明の属する技術分野】
本発明は、樹脂が異なるインキを組み合わせて、目視では認識できない秘匿情報を付与して真偽判別を可能としている秘匿情報を付与した印刷物及び該秘匿情報の識別方法に関するものであり、特に銀行券、株券又は債権等の有価証券類、各種証明書類、パスポート又はカードに適した技術である。
【０００２】
【従来の技術】
本発明者は、先に他の発明者と、蛍光材料等の特殊な材料を用いることなく、樹脂や顔料などの物質の定性的及び定量的な測定が可能な測定法として赤外分光法の一つである全反射法を用いて、インキを構成する樹脂成分の違いを識別することで、印刷物の真偽判別をする方法を見いだし、「秘匿情報を付与した印刷物及び該秘匿情報の識別方法」（特願２００１−２４３２３５）として出願した。しかし、この全反射吸収法を用いた方法は、印刷物に接触した状態で測定しなければならないため、軟らかい印刷物の場合には表面がくぼむことがあり、貴重製品の真偽判別に適応できないこともあることが分かった。また、全反射吸収法により得られた情報は印刷物の一点における情報であり、得られた赤外スペクトルの違いのみの比較しかできないという制約もある。
【０００３】
また、赤外スペクトルの特性吸収ピークにより連続情報つまり画像を得るために全反射吸収法を用いた顕微マッピング法も開発されているが、印刷物の場合、印刷による印刷物表面の凹凸の影響を大きく受けるため検出感度が悪いということと測定時間が数十時間以上かかるため実用的でない。
【０００４】
【発明が解決しようとする課題】
そこで、本発明は従来技術における上記問題点を解決するためになされたもので、樹脂や顔料などの物質の構造情報の違いをスペクトルとして得ることができる赤外分光法の一つである顕微正反射法を用いて、インキを構成する樹脂成分の違いを識別することに利用したものである。この方法の利点は、全反射吸収法とは異なり、試料（例えば金属上の塗膜や紙の上に印刷された印刷物）に非接触での測定が可能であり、かつμｍオーダーの微小領域の測定を試料上で走査するマッピング測定も短時間で可能である点である。そのため、異なる種類の樹脂であり、赤外吸収スペクトルの特性吸収ピーク波数で表されるスペクトルの位置も異なる樹脂を用いたインキで印刷した印刷物は、顕微正反射法を用いて測定することにより樹脂に帰属される特性吸収ピーク強度を画像として表示することが可能であり、この方法を用いれば樹脂の種類が異なるインキから成る印刷物を非破壊及び非接触で測定することにより、インキを構成する樹脂を画像として識別することができ、さらに、樹脂の違いは目視では判別できないため、樹脂の種類が異なり、樹脂の赤外吸収スペクトルの特性吸収ピーク位置も互いに異なるインキの組み合わせに秘匿情報を付与することも可能である。
【０００５】
本発明においては、上記のようにインキを構成する樹脂成分に秘匿情報を付与することにより真偽判別するようにした、秘匿情報を付与した印刷物及び該秘匿情報の識別方法を提供する。
【０００６】
【発明が解決しようとする手段】
本発明の秘匿情報を付与した印刷物は、基材上に、複数のインキに各々含有する樹脂の種類が異なり、前記樹脂の赤外吸収スペクトルの特性吸収ピーク波数も互いに異なる、前記複数のインキを組み合わせて印刷した印刷物であって、前記印刷物に、赤外分析法における非破壊及び非接触検査法である顕微正反射法により識別可能な、前記樹脂の赤外吸収スペクトル中の特性吸収ピーク波数における特性ピーク強度の違いによる、複数の目視不能な秘匿パターンからなる情報を付与することを特徴としている。
【０００７】
本発明の秘匿情報を付与した印刷物は、前記複数のインキが、目視で同一色に見える同色インキであることを特徴としている。
【０００８】
本発明の秘匿情報を付与した印刷物は、銀行券、株券又は債権の有価証券類、各種証明書類、パスポート又はカードである。
【０００９】
本発明の秘匿情報を付与した印刷物は、前記インキに含有する樹脂の種類は、アルキド樹脂、アクリレート樹脂、アクリル樹脂、スチレン樹脂、ビニル樹脂、アミノ樹脂、フェノール樹脂、ウレタン樹脂、ポリエステル樹脂、エポキシ樹脂、メラミン樹脂、フッ素系樹脂、シリコーン系樹脂、若しくはこれらの樹脂の共重合体、又はこれらの樹脂の混合物であることを特徴とする。前記樹脂の共重合体としては、スチレンアクリル樹脂等がある。
【００１０】
これらの樹脂から成るインキを２種類以上組み合わせて、該組み合わせに秘匿情報を付与して印刷した印刷物を、赤外分光装置の顕微正反射法で測定し得られた赤外吸収スペクトルに前記特性吸収ピークが認識でき、かつそれぞれの樹脂の
特性吸収ピーク波数のズレが１ｃｍ−１以上好ましくは１０ｃｍ−１以上となることで秘匿情報が抽出可能であり、非破壊で真偽判別が可能となる秘匿情報を付与した印刷物を提供するものである。ここでの特性吸収ピーク強度は、各ピーク面積、各ピークのピークトップの強度及び他の基準ピーク強度又は基準ピーク面積との相対強度比又は相対面積比によって表すことができる。
【００１１】
本発明は、秘匿情報を付与した印刷物の識別方法であって、前記秘匿情報を付与した印刷物を、赤外分析法における非破壊及び非接触検査である顕微正反射法により測定し、得られた赤外吸収スペクトルから前記印刷物のインキ中の樹脂の特性吸収ピークの波数を識別し、これら樹脂の特性吸収ピークの波数における特性ピーク強度を印刷物上でマッピングを行うことにより、目視不能な秘匿パターンを画像として識別し、前記画像の組み合わせによる情報により、前記印刷物の真偽判別を行うことを特徴とする秘匿情報を付与した印刷物の識別方法である。
【００１２】
【発明の実施の形態】
本発明は、秘匿情報を付与した印刷物に関するものである。その印刷物は印刷対象である基材上に複数のインキを組み合わせて印刷する。前記印刷物に使用されるインキには着色成分の他に樹脂が含有され、夫々のインキに含有される樹脂の種類は互いに異なるものを使用する。これらの樹脂は、赤外分析法における非破壊及び非接触検査法である顕微正反射法により測定した赤外吸収スペクトル中の特性吸収ピークの波数で表されるスペクトルの位置が、夫々固有の波数を有し、特性吸収ピークの波数で表されるスペクトルの位置における特性吸収ピーク強度が異なる。本発明は、インキに含有する樹脂の前記特性吸収ピークが夫々固有の波数を有し、特性吸収ピークの波数で表されるスペクトルの位置における特性ピーク強度が異なる点を利用して、前記樹脂の特性吸収ピーク強度を印刷物上でマッピングを行うことにより得られた画像を、秘匿情報として用いるものである。前記印刷物は特性吸収ピークの波数における特性吸収ピーク強度が異なるものを組み合わせて用いるので、前記印刷物には樹脂による特性吸収ピーク強度の違いから異なった画像を得ることが可能であるので、前記印刷物に秘匿情報が付与されることとなり、より高度な偽造防止効果が得られる。樹脂を組み合わせる場合、各樹脂の特性吸収ピーク波数の違いが、波数にして１０ｃｍ−１程度あれば、インキの樹脂の違いを特性吸収ピーク強度としてマッピング操作によって画像として識別することができる。
【００１３】
本発明において、基材としては、紙、プラスチック、金属等印刷できるものなら種類を問わない。また、本発明における印刷物とは、有価証券類としては銀行券、商品券、図書券、小切手、株券又は債権等を、各種証明書としては身分証明書、印鑑登録証明書、免許証、権利証書又は住民票等を、また、入場券、回数券、チケット、免許証、パスポート又はカード類をいうが、特にこれらに限定されることなく、セキュリティ付与が必要な各種印刷物に適用されるのはいうまでもない。また、カード類としては、クレジットカード、ＩＤカード、キャッシュカード、プリペイドカード、テレホンカード、交通機関で使用される乗車カード等を挙げることができる。
【００１４】
【実施例】
以下、実施例に基づき本発明を詳細に説明するが、本発明はこの実施例によってなんら限定されるものではない。また、本発明の樹脂が互いに異なるインキから成る印刷物の印刷方式は、凸版、凹版、オフセット、ザンメル、スクリーン又はグラビア印刷等特に限定されない。
【００１５】
また、本発明の樹脂の種類が異なるインキを組み合わせて印刷して得られた印刷物に使用できる樹脂としては、印刷物の赤外吸収スペクトルとして得られるピークが、インキに含まれる顔料、添加剤等の他成分ピークと重複することなく単独で認識できる樹脂を選定することが望ましいが、重複する場合でも樹脂の特性吸収が認識できるならば、アルキド樹脂、アクリル樹脂、アクリレート樹脂、ウレタン樹脂、エポキシ樹脂、ビニル樹脂又はフェノール樹脂等、一般に使用されている樹脂を使用することができる。また、樹脂の組み合わせは、赤外吸収スペクトルの特性吸収ピークトップが重なり合わない樹脂同士ならば任意に選択して組み合わせることができる。
【００１６】
（実施例１）　図１は、基材（１）の上に、樹脂の種類が異なるインキを用いて情報（本実施例では「ＥＸ」）を凹版印刷し、それ以外の部分をオフセット印刷（２）した印刷物を示すものである。該印刷物の情報としての文字「ＥＸ」のうち、文字Ｅ（３）はインキにアルキド樹脂を使用して印刷した文字であり、文字Ｘ（４）はインキにアクリレート樹脂を使用して印刷した文字である。また、アルキド樹脂インキの配合割合は着色顔料としてピンク系顔料０．５重量部、体質顔料として硫酸バリウム及びチタン白６０重量部、乾燥剤２．５重量部及び樹脂３７重量部であり、アクリレート樹脂インキの配合割合は着色顔料としてピンク系顔料０．５重量部、体質顔料として硫酸バリウム及びチタン白６０重量部、重合開始剤３重量部及び樹脂３６．５重量部である。
【００１７】
前記印刷物の文字Ｅ（３）と文字Ｘ（４）の印刷部のそれぞれを、赤外分光による測定法の一つである顕微正反射法により測定すると、図２に示すように、文字Ｅの正反射の赤外吸収スペクトル（５）と、文字Ｘの正反射の赤外吸収スペクトル（６）として得られる。そして、文字Ｅ（３）に用いたアルキド樹脂のＣ＝Ｏ伸縮振動による正反射の特性吸収ピークは１７６０ｃｍ−１付近に、また、文字Ｘ（４）に用いたアクリレート樹脂のＣ＝Ｏ伸縮振動による正反射の特性吸収ピークは１７３０ｃｍ−１付近にあり、それぞれの樹脂の特性吸収ピークがずれているのが分かる。そこで、文字Ｅ（３）の赤外吸収スペクトル（５）中の１７６０ｃｍ−１付近のアルキド樹脂のＣ＝Ｏ伸縮振動による正反射の特性吸収ピーク強度（７）領域をピクセルサイズ２５オｍ×２５オｍ、ピクセル数３９３×２５９でマッピングを行うと、図３に示すようなマッピング像が得られる。このように、赤外分光による測定法の一つである顕微正反射法を用いることにより、アルキド樹脂を用いたインキで印刷した文字Ｅを画像として表すことができる。
【００１８】
次に図４に示す文字Ｘ（４）の正反射の赤外吸収スペクトル（６）中の１７３０ｃｍ−１付近のアクリレート樹脂のＣ＝Ｏ伸縮振動による正反射の特性吸収ピーク強度（８）領域をピクセルサイズ２５オｍ×２５オｍ、ピクセル数３９３×２５９でマッピングを行うと、図５に示すようなマッピング像が得られる。このように、赤外分光による測定法の一つである顕微正反射法を用いることにより、ここではアクリレート樹脂を用いたインキで印刷した文字Ｘを画像として表すことができる。このように、目視では判別することができない樹脂の種類が互いに異なるインキを用いて情報を印刷し、該情報の部分に赤外線を照射すると、その部分に特有な正反射の赤外吸収スペクトルが得られ、用いた樹脂特有の正反射の特性吸収ピークが得られ、該ピークの強度領域をマッピングを行うことにより、前記情報を画像として識別することができ、該インキに含有される樹脂の種類の組み合わせの違いにより形成される樹脂の種類の組み合わせ情報を秘匿情報とすることにより、セキュリティ性の高い印刷物として使用できる。
【００１９】
（実施例２）　図６に示す印刷物は、基材（１）の上に、同色で樹脂の種類が異なるインキを組み合わせて、例えば「１０９２７１１９」を印刷する。この数字の一桁おきに交互に、例えば「１９７１」をアルキド樹脂インキ（９）で、例えば「０２１９」をアクリレート樹脂インキ（１０）で印刷する。この印刷物は夫々の樹脂の赤外吸収スペクトルの特性吸収ピークの波数で表されるスペクトルの位置が秘匿情報部分として付与されている。そして、アルキド樹脂インキ（９）で印刷された数字は「年」を、アクリレート樹脂インキ（１０）で印刷された数字は「月日」を、夫々表すものと予め取決めしておく、この取決めを知らない人は、単に数字が羅列して印刷されていると認識するだけで、これが生年月日を表す情報であると認識することはできない。そこで、全ての数字を含む印刷面を顕微正反射法によりそれぞれの樹脂の特性吸収ピーク強度によりマッピングを行う。アルキド樹脂の特性吸収ピーク強度のマッピング像からは「１９７１」の画像情報が得られる。また、アクリレート樹脂（１０）の特性吸収ピーク強度のマッピング像からは「０２１９」の画像情報を得ることによって識別できる。そして、前記のように、アルキド樹脂インキ（８）の数字部分は「年」を、アクリレート樹脂インキ（９）で印刷された数字は「月日」を、夫々表すものであるから、前記印刷物に印刷されている数字の羅列は、生年月日が、１９７１年２月１９日であると認識することができる。
【００２０】
このように、樹脂の種類が異なるインキを用いて印刷する情報の配列は自由に組み合わせることができ、組み合わせは無限に存在することから、個人情報及び識別情報などの秘匿情報を印刷物に付与することができる。更に、印刷物に付与された該秘匿情報は、特定の者のみが知っていれば良く、一般の者には目視において該秘匿情報が付与されていることさえも分からない。たとえ、該秘匿情報が付与されていることが分かったとしても、個人情報及び識別情報等を読み取ることができないため、極めて機密保持性に優れていることになる。
【００２１】
【発明の効果】
本発明の秘匿情報を付与した印刷物は、一般の印刷機やインキを用いて印刷することができるため、新しい装置の導入も必要とせず簡単に製造することができる。更に、赤外分光法の測定法の一つである顕微正反射法により秘匿情報を付与した印刷物の赤外吸収スペクトルを得て、インキ中の樹脂を画像として判別するため印刷物の識別を非破壊及び非接触で数分間の測定で簡易的に行うことが可能である。
【００２２】
また、樹脂が異なる同色インキを任意に組み合わせることができることから、印刷物のデザインを損ねることがない。また、樹脂の異なるインキの組み合わせが限りなく存在するため、個人情報や識別情報等の秘匿情報を印刷物に付与することもできる。更に、目視による判別では前記印刷物のデザインにカモフラージュされてしまい、前記インキの組み合わせやそれに付与した識別情報を読み取ることができないが、本発明によれば、顕微正反射法によるマッピング測定後簡易的に画像として読み取ることができる。
【００２３】
以上のことから、印刷物に付与した樹脂が異なるインキの組み合わせと該組み合わせに付与した識別情報を秘密にしておくことで、偽造及び改ざんに対し高い安全性を有しているので、銀行券、株券又は債権の有価証券類、各種証明書類、パスポート又はカードの機密保持性が必要とされる製品の真偽判別に適している。
【図面の簡単な説明】
【図１】本発明の実施例１を説明する図で、樹脂が異なるインキで情報を付与した印刷物を示す。
【図２】図１の文字Ｅ及び文字Ｘそれぞれの正反射の赤外吸収スペクトルとアルキド樹脂の特性吸収ピーク強度領域を示す。
【図３】図２のアルキド樹脂の特性吸収ピーク強度によるマッピング像を示す。
【図４】図１の文字Ｅ及び文字Ｘそれぞれの正反射の赤外吸収スペクトルとアクリレート樹脂の特性吸収ピーク強度領域を示す。
【図５】図４のアクリレート樹脂の特性吸収ピーク強度によるマッピング像を示す。
【図６】本発明の実施例２を説明する図で，一桁おきに交互にアルキド樹脂インキとアクリレート樹脂インキで印刷した秘匿情報を有する印刷物を示す。
【図７】アルキド樹脂の特性吸収ピーク強度によるマッピング像を示す。
【図８】アクリレート樹脂の特性吸収ピーク強度によるマッピング像を示す。
【符号の説明】
１　　基材
２　　オフセットインキで印刷した印刷部
３　　アルキド樹脂インキで印刷した凹版印刷部
４　　アクリレート樹脂インキで印刷した凹版印刷部
５　　文字Ｅの正反射の赤外吸収スペクトル
６　　文字Ｘの正反射の赤外吸収スペクトル
７　　アルキド樹脂のＣ＝Ｏ伸縮振動による正反射の特性吸収ピーク強度
８　　アクリレート樹脂のＣ＝Ｏ伸縮振動による正反射の特性吸収ピーク強度
９　　アルキド樹脂インキで印刷した印刷部
１０　　アクリレート樹脂インキで印刷した印刷部
【図１】
2004009694.tif 000003
【図２】
2004009694.tif 000004
【図３】
2004009694.tif 000005
【図４】
2004009694.tif 000006
【図５】
2004009694.tif 000007
【図６】
2004009694.tif 000008
【図７】
2004009694.tif 000009
【図８】
2004009694.tif 000010